(57)【特許請求の範囲】
【請求項１】
電力の供給を行う電力供給部と、
リモートセンシング位置の電位が一定となるように前記電力供給部の出力電圧を定電圧制御する電力制御部と、
互いに並列に接続された状態で前記電力供給部に接続された複数の負荷ブロックと、
前記複数の負荷ブロックの各々の状態を、前記電力供給部からの電力の供給を受ける状態と電力の供給を受けない状態との間で切り替える制御を行う省電力回路と、
前記リモートセンシング位置を設定する設定手段とを備え、
前記設定手段は、前記省電力回路、および前記複数の負荷ブロックのうち電力の供給を受ける負荷ブロックの中で、消費電流が最も大きいものの入力側の接点、または動作保証最小電圧が最も大きいものの入力側の接点を、前記リモートセンシング位置として設定する、電源装置。
【請求項２】
前記省電力回路および前記複数の負荷ブロックの各々の消費電流に関する情報、ならびに前記省電力回路および前記複数の負荷ブロックの各々の動作保証最小電圧に関する情報のうち少なくともいずれか一方の情報を記憶する記憶手段をさらに備え、
前記設定手段は、前記記憶手段にて記憶した情報に基づいて前記リモートセンシング位置を設定する、請求項１に記載の電源装置。
【請求項３】
前記電源装置は、前記複数の負荷ブロックのうち少なくとも１つ、および前記省電力回路に対して電力の供給を行う通常状態と、前記複数の負荷ブロックに対して電力の供給を行わず、かつ前記省電力回路に対して電力の供給を行う省電力状態との間で動作状態を移行する、請求項１または２に記載の電源装置。
【請求項４】
前記省電力回路は、前記電源装置が前記通常状態および前記省電力状態のいずれの場合にも、前記設定手段として前記リモートセンシング位置を設定する、請求項３に記載の電源装置。
【請求項５】
前記省電力回路は、前記電源装置が前記省電力状態である場合に、前記設定手段として前記リモートセンシング位置を設定し、
前記複数の負荷ブロックのうちいずれか１つは、前記電源装置が前記通常状態である場合に、前記設定手段として前記リモートセンシング位置を設定する、請求項３に記載の電源装置。
【請求項６】
前記複数の負荷ブロック全体の消費電流が増加するように、前記複数の負荷ブロックの各々の状態を前記省電力回路が切り替える場合、前記設定手段は、前記複数の負荷ブロックの各々の状態を切り替える前に前記リモートセンシング位置を変更する、請求項３〜５のいずれかに記載の電源装置。
【請求項７】
前記複数の負荷ブロック全体の消費電流が減少するように、前記複数の負荷ブロックの各々の状態を前記省電力回路が切り替える場合、前記設定手段は、前記複数の負荷ブロックの各々の状態を切り替えた後で前記リモートセンシング位置を変更する、請求項３〜６のいずれかに記載の電源装置。
【請求項８】
前記電力供給部および前記電力制御部を搭載する第１の基板と、
前記複数の負荷ブロック、前記省電力回路、および前記設定手段を搭載し、前記第１の基板に電気的に接続された第２の基板とをさらに備えた、請求項１〜７のいずれかに記載の電源装置。
【請求項９】
前記設定手段は、前記省電力回路、および前記複数の負荷ブロックのうち電力の供給を受ける負荷ブロックの中で、消費電流が最も大きいものの入力側の接点を、前記リモートセンシング位置として設定する、請求項１〜８のいずれかに記載の電源装置。
【請求項１０】
前記設定手段は、前記省電力回路、および前記複数の負荷ブロックのうち電力の供給を受ける負荷ブロックの中で、動作保証最小電圧が最も大きいものの入力側の接点を、前記リモートセンシング位置として設定する、請求項１〜８のいずれかに記載の電源装置。
【請求項１１】
前記省電力回路および前記複数の負荷ブロックの各々は、互いに並列に接続された状態で前記電力供給部から電力を供給される、請求項１〜１０のいずれかに記載の電源装置。
【請求項１２】
請求項１〜１１のいずれかに記載の電源装置と、
画像形成を行う画像形成部とを備えた、画像形成装置。
【発明の詳細な説明】
【技術分野】
【０００１】
本発明は、電源装置およびこれを備えた画像形成装置に関し、より特定的には、消費電力量を低減することのできる電源装置およびこれを備えた画像形成装置に関する。
【背景技術】
【０００２】
電子写真方式を用いた画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
図８は、従来の画像形成装置が通常状態にある場合の、電源基板および制御基板の回路構成を模式的に示すブロック図である。
【０００４】
図８を参照して、従来の画像形成装置は、電源基板１００１と、電線抵抗（ワイヤーハーネス）Ｒ１０５と、画像形成装置の各部材の動作を制御する制御基板１２００とを備えている。電源基板１００１と制御基板１２００とは、電線抵抗Ｒ１０５を介して電気的に接続されている。電源基板１００１は、電線抵抗Ｒ１０５を通じて制御基板１２００に直流電力を供給する。
【０００５】
電源基板１００１は、トランスＴ１０１と、二次側整流平滑回路（コンデンサー）ＳＭ１０１と、定電圧制御部１０１０と、トランジスタＴＲ１０１とを含んでいる。トランスＴ１０１はＤＣ−ＤＣコンバータである。トランジスタＴＲ１０１はＰチャネル型ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。
【０００６】
トランスＴ１０１の一次側のコイルにはトランジスタＴＲ１０１のソースおよびドレインが接続されている。トランスＴ１０１の二次側のコイルには二次側整流平滑回路ＳＭ１０１が接続されている。二次側整流平滑回路ＳＭ１０１の一方の出力端子は電線抵抗Ｒ１０５の一端に接続されており、他方の出力端子は接地電位に接続されている。接点Ｐ１１０は、二次側整流平滑回路ＳＭ１０１の一方の出力端子と電線抵抗Ｒ１０５とを接続する導線上に位置する。定電圧制御部１０１０は、接点Ｐ１１０をリモートセンシング位置として採用し、接点Ｐ１１０の電位が一定となるように電源基板１００１の出力電圧を定電圧制御する。
【０００７】
制御基板１２００は、抵抗素子Ｒ１１１、Ｒ１１２、Ｒ１１３、Ｒ１１４、およびＲ１１５と、スイッチＳＷ１１１、ＳＷ１１２、ＳＷ１１３、およびＳＷ１１４と、機能回路ＣＲ１０１、ＣＲ１０２、ＣＲ１０３、ＣＲ１０４、およびＣＲ１０５とを含んでいる。
抵抗素子Ｒ１１１、Ｒ１１２、Ｒ１１３、Ｒ１１４、およびＲ１１５の各々は、パターン抵抗である。機能回路ＣＲ１０１は、ＨＤＤ（Ｈａｒｄ  Ｄｉｓｋ  Ｄｒｉｖｅ）ドライバーであり、たとえば４．７５Ｖ（ボルト）〜５．２５Ｖの動作保証電圧を有している。機能回路ＣＲ１０２は、ＵＳＢ（Ｕｎｉｖｅｒｓａｌ  Ｓｅｒｉａｌ  Ｂｕｓ）ドライバーであり、たとえば４．８５Ｖ〜５．１５Ｖの動作保証電圧を有している。機能回路ＣＲ１０３は、省電力回路であり、常時オンされる。機能回路ＣＲ１０４は、画像形成の制御を行う画像形成回路である。機能回路ＣＲ１０５は、ファクシミリの送受信の制御を行うファクシミリ回路である。
【０００８】
抵抗素子Ｒ１１１、Ｒ１１２、Ｒ１１３、Ｒ１１４、およびＲ１１５の各々の一端は、電線抵抗Ｒ１０５に接続されている。抵抗素子Ｒ１１１、スイッチＳＷ１１１、および機能回路ＣＲ１０１は、この順序で直列に接続されている。抵抗素子Ｒ１１２、スイッチＳＷ１１２、および機能回路ＣＲ１０２は、この順序で直列に接続されている。抵抗素子Ｒ１１３および機能回路ＣＲ１０３は、この順序で直列に接続されている。抵抗素子Ｒ１１４、スイッチＳＷ１１３、および機能回路ＣＲ１０４は、この順序で直列に接続されている。抵抗素子Ｒ１１５、スイッチＳＷ１１４、および機能回路ＣＲ１０５は、この順序で直列に接続されている。機能回路ＣＲ１０３は、電源信号ＲＥＭ１０１、ＲＥＭ１０２、ＲＥＭ１０３、およびＲＥＭ１０４の各々を送信することにより、画像形成装置が行う動作に応じてスイッチＳＷ１１１、ＳＷ１１２、ＳＷ１１３、およびＳＷ１１４の各々のオンオフを制御する。
【０００９】
制御基板１２００には、入力電圧の仕様が定められている。機能回路ＣＲ１０１、ＣＲ１０２、ＣＲ１０３、ＣＲ１０４、およびＣＲ１０５の各々の入力側の接点の電圧が、制御基板１２００の入力電圧の仕様を下回ると、その機能回路に不具合が生じるおそれがある。このため、電源基板１００１の出力電圧は、電線抵抗Ｒ１０５や抵抗素子Ｒ１１１、Ｒ１１２、Ｒ１１３、Ｒ１１４、およびＲ１１５による電圧降下を考慮して、機能回路ＣＲ１０１、ＣＲ１０２、ＣＲ１０３、ＣＲ１０４、およびＣＲ１０５の各々の入力側の接点Ｐ１０１、Ｐ１０２、Ｐ１０３、Ｐ１０４、およびＰ１０５の各々の電圧が、制御基板１２００の入力電圧の仕様よりも常に高い値となるように制御される。
【００１０】
たとえば、制御基板１２００の入力電圧の仕様が５．０Ｖである場合には、接点Ｐ１１０の電圧は常時、５．１Ｖに定電圧制御される必要がある。
【００１１】
接点Ｐ１１０の電圧が常時、５．１Ｖに定電圧制御される場合において、スイッチＳＷ１１１、ＳＷ１１２、ＳＷ１１３、およびＳＷ１１４がオンされたとき（制御基板１２００を流れる電流の総量が最大の場合）を想定する。このときには、各機能回路ＣＲ１０１、ＣＲ１０２、ＣＲ１０３、ＣＲ１０４、およびＣＲ１０５に電流が流れ、電線抵抗Ｒ１０５、ならびに各抵抗素子Ｒ１１１、Ｒ１１２、Ｒ１１３、Ｒ１１４、およびＲ１１５での電圧降下が大きくなる。その結果、接点Ｐ１０１の電圧は５．０２Ｖとなり、接点Ｐ１０２の電圧は５．０４Ｖとなり、接点Ｐ１０３の電圧は５．０７Ｖとなり、接点Ｐ１０４の電圧は５．０１Ｖとなり、接点Ｐ１０５の電圧は５．０３Ｖとなり、接点Ｐ１０６の電圧は５．０７Ｖとなる。これにより、機能回路ＣＲ１０１、ＣＲ１０２、ＣＲ１０３、ＣＲ１０４、およびＣＲ１０５の各々の入力側の接点の電圧が、制御基板１２００の入力電圧の仕様を下回る事態は回避される。
【００１２】
なお、下記特許文献１には、複数の負荷ボードに共通の電源電圧を供給する電源装置であって、複数の負荷装置の入力部の電圧を検出する複数のリモート検出手段と、リモート検出手段により得られた複数の検出値より、電源装置の出力電圧を決定し、出力する出力手段と、出力手段に定電圧制御を行う定電圧制御手段とを備えた電源装置が開示されている。
【先行技術文献】
【特許文献】
【００１３】
【特許文献１】特開２００３−１６９４７０号公報
【発明の概要】
【発明が解決しようとする課題】
【００１４】
図９は、従来の画像形成装置が省電力状態にある場合の、電源基板および制御基板の回路構成を模式的に示すブロック図である。
【００１５】
図９を参照して、画像形成装置が省電力状態（省エネモード）にある場合、スイッチＳＷ１１１、ＳＷ１１２、ＳＷ１１３、およびＳＷ１１４の全てがオフされる。この場合、制御基板１２００の機能回路のうち機能回路ＣＲ１０３にのみ電流が流れ、制御基板１２００を流れる電流の総量が小さくなるため、電線抵抗Ｒ１０５および抵抗素子Ｒ１１３での電圧降下がほぼゼロとなる。その結果、接点Ｐ１０３の電圧は、制御基板１２００の入力電圧の仕様である５．０Ｖであれば足りるにもかかわらず、５．１Ｖと必要以上に高い値となり、消費電力量の増加を招いていた。
【００１６】
画像形成装置をはじめとする電子機器に要求される省エネ規格は、近年厳しくなっている。厳しい省エネ規格に対応するためには、消費電力量を低減することが重要である。
【００１７】
本発明は、上記課題を解決するためのものであり、その目的は、消費電力量を低減することのできる電源装置およびこれを備えた画像形成装置を提供することである。
【課題を解決するための手段】
【００１８】
本発明の一の局面に従う電源装置は、電力の供給を行う電力供給部と、リモートセンシング位置の電位が一定となるように電力供給部の出力電圧を定電圧制御する電力制御部と、互いに並列に接続された状態で電力供給部に接続された複数の負荷ブロックと、複数の負荷ブロックの各々の状態を、電力供給部からの電力の供給を受ける状態と電力の供給を受けない状態との間で切り替える制御を行う省電力回路と、リモートセンシング位置を設定する設定手段とを備え、設定手段は、省電力回路、および複数の負荷ブロックのうち電力の供給を受ける負荷ブロックの中で、消費電流が最も大きいものの入力側の接点、または動作保証最小電圧が最も大きいものの入力側の接点を、リモートセンシング位置として設定する。
【００１９】
上記電源装置において好ましくは、省電力回路および複数の負荷ブロックの各々の消費電流に関する情報、ならびに省電力回路および複数の負荷ブロックの各々の動作保証最小電圧に関する情報のうち少なくともいずれか一方の情報を記憶する記憶手段をさらに備え、設定手段は、記憶手段にて記憶した情報に基づいてリモートセンシング位置を設定する。
【００２０】
上記電源装置において好ましくは、電源装置は、複数の負荷ブロックのうち少なくとも１つ、および省電力回路に対して電力の供給を行う通常状態と、複数の負荷ブロックに対して電力の供給を行わず、かつ省電力回路に対して電力の供給を行う省電力状態との間で動作状態を移行する。
【００２１】
上記電源装置において好ましくは、省電力回路は、電源装置が通常状態および省電力状態のいずれの場合にも、設定手段としてリモートセンシング位置を設定する。
【００２２】
上記電源装置において好ましくは、省電力回路は、電源装置が省電力状態である場合に、設定手段としてリモートセンシング位置を設定し、複数の負荷ブロックのうちいずれか１つは、電源装置が通常状態である場合に、設定手段としてリモートセンシング位置を設定する。
【００２３】
上記電源装置において好ましくは、複数の負荷ブロック全体の消費電流が増加するように、複数の負荷ブロックの各々の状態を省電力回路が切り替える場合、設定手段は、複数の負荷ブロックの各々の状態を切り替える前にリモートセンシング位置を変更する。
【００２４】
上記電源装置において好ましくは、複数の負荷ブロック全体の消費電流が減少するように、複数の負荷ブロックの各々の状態を省電力回路が切り替える場合、設定手段は、複数の負荷ブロックの各々の状態を切り替えた後でリモートセンシング位置を変更する。
【００２５】
上記電源装置において好ましくは、電力供給部および電力制御部を搭載する第１の基板と、複数の負荷ブロック、省電力回路、および設定手段を搭載し、第１の基板に電気的に接続された第２の基板とをさらに備える。
【００２６】
上記電源装置において好ましくは、設定手段は、省電力回路、および複数の負荷ブロックのうち電力の供給を受ける負荷ブロックの中で、消費電流が最も大きいものの入力側の接点を、リモートセンシング位置として設定する。
【００２７】
上記電源装置において好ましくは、設定手段は、省電力回路、および複数の負荷ブロックのうち電力の供給を受ける負荷ブロックの中で、動作保証最小電圧が最も大きいものの入力側の接点を、リモートセンシング位置として設定する。
上記電源装置において好ましくは、省電力回路および複数の負荷ブロックの各々は、互いに並列に接続された状態で電力供給部から電力を供給される。
【００２８】
本発明の他の局面に従う画像形成装置は、上述の電源装置と、画像形成を行う画像形成部とを備える。
【発明の効果】
【００２９】
本発明によれば、消費電力量を低減することのできる電源装置およびこれを備えた画像形成装置を提供することができる。
【図面の簡単な説明】
【００３０】
【図１】本発明の一実施の形態における画像形成装置の構成を模式的に示すブロック図である。
【図２】本発明の一実施の形態における画像形成装置が通常状態にある場合の、電源基板および制御基板の回路構成を模式的に示すブロック図である。
【図３】機能回路情報テーブルの一例を示す図である。
【図４】本発明の一実施の形態における画像形成装置が省電力状態にある場合の、電源基板および制御基板の回路構成を模式的に示すブロック図である。
【図５】本発明の一実施の形態における画像形成装置の動作を示すフローチャートの前半部分である。
【図６】本発明の一実施の形態における画像形成装置の動作を示すフローチャートの後半部分である。
【図７】本発明の変形例における画像形成装置が通常状態にある場合の、電源基板および制御基板の回路構成を模式的に示すブロック図である。
【図８】従来の画像形成装置が通常状態にある場合の、電源基板および制御基板の回路構成を模式的に示すブロック図である。
【図９】従来の画像形成装置が省電力状態にある場合の、電源基板および制御基板の回路構成を模式的に示すブロック図である。
【発明を実施するための形態】
【００３１】
以下、本発明の実施の形態について、図面に基づいて説明する。
【００３２】
以下の実施の形態においては、電源装置が画像形成装置である場合について説明する。画像形成装置は、ＭＦＰ、ファクシミリ装置、複写機、またはプリンターなどであってもよい。また電源装置は、画像形成装置以外のものであってもよく、画像形成装置以外の電子機器に電力を供給するものであってもよい。本明細書では、接地電位を０Ｖとして、各位置と接地電位との電位差を、各位置の電圧値として記している。
【００３３】
［画像形成装置の構成］
【００３４】
図１は、本発明の一実施の形態における画像形成装置の構成を模式的に示すブロック図である。
【００３５】
図１を参照して、画像形成装置は、低圧電源１００と、制御基板２００とを主に備えている。低圧電源１００は、商用電源からの交流電力を直流電力に変換し、制御基板２００に、変換後の直流電力を供給する。
【００３６】
低圧電源１００は、ノイズフィルター（ＮＦ）１０１と、整流器１０３と、定電圧制御回路１０５と、定電圧制御回路１０７と、定着回路１０９とを含んでいる。整流器１０３は、ＮＦ１０１によってノイズが低減された交流電力を、直流電力に変換する。定電圧制御回路１０５は、整流器１０３によって変換された直流電力を、約２４Ｖの定電圧に制御する。定電圧制御回路１０７は、整流器１０３によって変換された直流電力を、約５Ｖの定電圧に制御する。定着回路１０９は、ＮＦ１０１によってノイズが低減された交流電力の入力を受けて、ヒーター１１１に供給する電力を制御する。
【００３７】
制御基板２００は、ドライバー回路２０１と、画像形成回路２０３と、省電力回路（省エネ回路）２５０と、ＨＤＤドライバー回路２０５と、ＵＳＢドライバー回路２０７と、ファクシミリ回路２０９とを含んでいる。ドライバー回路２０１は、定電圧制御回路１０５に接続されており、定電圧制御回路１０５から約２４Ｖの電力の供給を受ける。画像形成回路２０３、省電力回路２５０、ＨＤＤドライバー回路２０５、ＵＳＢドライバー回路２０７、およびファクシミリ回路２０９の各々は、定電圧制御回路１０７に接続されており、定電圧制御回路１０７から約５Ｖの電力の供給を受ける。
【００３８】
ドライバー回路２０１は、画像形成回路２０３からの制御信号を受けて、所定の場合に、光源２１１、ファン２１３、ＨＶ（搬送ローラーなどを駆動する電源出力）２１５、およびモーター２１７などに電流を供給し、画像形成を行う。光源２１１、ファン２１３、ＨＶ２１５、およびモーター２１７は、画像形成を行う画像形成部を構成する。画像形成回路２０３は、画像形成の制御を行う。画像形成回路２０３は、センサー２１９からの信号を受信し、所定の場合にドライバー回路２０１に対して制御信号を送信する。画像形成回路２０３は、画処理ＩＣ（Ｉｎｔｅｇｒａｔｅｄ  Ｃｉｒｃｕｉｔ）２０３ａを含んでいる。省電力回路２５０は、センサー２２１からの信号を受信し、画像形成回路２０３、ＨＤＤドライバー回路２０５、ＵＳＢドライバー回路２０７、およびファクシミリ回路２０９の各々への電流の供給を制御する。省電力回路２５０は、演算ＩＣ２５０ａと、ＣＰＬＤ（Ｃｏｍｐｌｅｘ  Ｐｒｏｇｒａｍｍａｂｌｅ  Ｌｏｇｉｃ  Ｄｅｖｉｃｅ）２５０ｂを含んでいる。ＨＤＤドライバー回路２０５は、ＨＤＤ２２３への情報の書き込み、およびＨＤＤ２２３からの情報の読み出しを制御する。ＵＳＢドライバー回路２０７は、ＵＳＢ２２５が接続された場合に、ＵＳＢ２２５への情報の書き込み、およびＵＳＢ２２５からの情報の読み出しを制御する。ファクシミリ回路２０９は、ファクシミリの送受信の制御を行う。
【００３９】
図２は、本発明の一実施の形態における画像形成装置が通常状態にある場合の、電源基板および制御基板の回路構成を模式的に示すブロック図である。
【００４０】
図２を参照して、画像形成装置は、電源基板１（電力供給部の一例）と、電線抵抗（ワイヤーハーネス）Ｒ５と、画像形成装置の各部材の動作を制御する制御基板２００とを備えている。電源基板１と制御基板２００とは、電線抵抗Ｒ５を介して電気的に接続されている。電源基板１は、図１の定電圧制御回路１０７に含まれており、電線抵抗Ｒ５を通じて制御基板２００に約５Ｖの直流電力を供給する。
【００４１】
電源基板１は、トランスＴ１と、二次側整流平滑回路（コンデンサー）ＳＭ１と、定電圧制御部１０と、トランジスタＴＲ１とを含んでいる。トランスＴ１は、たとえばＤＣ−ＤＣコンバータである。トランジスタＴＲ１は、たとえばＰチャネル型ＭＯＳＦＥＴである。
【００４２】
トランスＴ１の一次側のコイルにはトランジスタＴＲ１のソースおよびドレインが接続されている。トランスＴ１の二次側のコイルには二次側整流平滑回路ＳＭ１が接続されている。二次側整流平滑回路ＳＭ１の一方の出力端子は、電源基板１の出力端子を通じて電線抵抗Ｒ５の一端に接続されており、他方の出力端子は接地電位に接続されている。定電圧制御部１０は、後述する方法でリモートセンシング位置を決定し、決定したリモートセンシング位置の電圧が一定となるように電源基板１の出力電圧を定電圧制御する。
【００４３】
定電圧制御部１０は、抵抗素子Ｒ１、Ｒ２、Ｒ３、およびＲ４と、スイッチＳＷ１と、トランジスタＴＲ２と、ダイオードＤ１およびＤ２とを含んでいる。抵抗素子Ｒ３は可変抵抗素子である。トランジスタＴＲ２はフォトトランジスタであり、ダイオードＤ１は発光ダイオードである。トランジスタＴＲ２およびダイオードＤ１はフォトカプラを構成している。ダイオードＤ２はツェナーダイオードである。
【００４４】
抵抗素子Ｒ１、ダイオードＤ１、およびダイオードＤ２は、この順序で直列に接続されている。抵抗素子Ｒ１の一端は、二次側整流平滑回路ＳＭ１の一方の出力端子に接続されており、他端はダイオードＤ１のアノードに接続されている。ダイオードＤ１のカソードはダイオードＤ２のカソードに接続されており、ダイオードＤ２のアノードは接地電位に接続されている。
【００４５】
抵抗素子Ｒ２、抵抗素子Ｒ３、および抵抗素子Ｒ４は、この順序で直列に接続されている。抵抗素子Ｒ２における抵抗素子Ｒ３が接続されていない方の端部は、後述する省電力回路２５０内の接点Ｐ２０に接続されている。抵抗素子Ｒ４における抵抗素子Ｒ３が接続されていない方の端部は、接地電位に接続されている。抵抗素子Ｒ３と抵抗素子Ｒ４とを接続する導線は、ダイオードＤ２のカソードに接続されている。
【００４６】
トランジスタＴＲ２のエミッタはスイッチＳＷ１に接続されており、コレクタは接地電位に接続されている。トランジスタＴＲ１のゲートは、スイッチＳＷ１に接続されている。
【００４７】
ダイオードＤ２のカソード側の電圧は、リモートセンシング位置である接点Ｐ２０の電圧に応じた電圧となる。リモートセンシング位置の電圧が基準値を超えると、ダイオードＤ２が降伏し、スイッチＳＷ１から接地電位に電流が流れる。この電流を検知すると、スイッチＳＷ１はトランジスタＴＲ１をオフし、電源基板１の出力電圧を低下させる。これにより、リモートセンシング位置が常に一定電圧となるように、電源基板１の出力電圧は定電圧制御される。
【００４８】
制御基板２００は、抵抗素子Ｒ１１、Ｒ１２、Ｒ１３、Ｒ１４、およびＲ１５と、スイッチ（パワースイッチ）ＳＷ１１、ＳＷ１２、ＳＷ１３、およびＳＷ１４と、省電力回路２５０と、機能回路ＣＲ１、ＣＲ２、ＣＲ３、およびＣＲ４とを含んでいる。抵抗素子Ｒ１１、Ｒ１２、Ｒ１３、Ｒ１４、およびＲ１５の各々は、パターン抵抗である。省電力回路２５０、ならびに機能回路ＣＲ１、ＣＲ２、ＣＲ３、およびＣＲ４の各々は、互いに並列に接続された状態で電源基板１に接続されている。機能回路ＣＲ１、ＣＲ２、ＣＲ３、およびＣＲ４の各々は、電源基板１から供給された電力を消費する負荷ブロックの一例であり、たとえば図１における画像形成回路２０３、ＨＤＤドライバー回路２０５、ＵＳＢドライバー回路２０７、またはファクシミリ回路２０９などが該当する。制御基板２００の入力電圧の仕様はたとえば５．０Ｖであり、省電力回路２５０、ならびに機能回路ＣＲ１、ＣＲ２、ＣＲ３、およびＣＲ４の各々が正常に動作するためには、省電力回路２５０、ならびに機能回路ＣＲ１、ＣＲ２、ＣＲ３、およびＣＲ４の各々の入力側の接点Ｐ１、Ｐ２、Ｐ３、Ｐ４、およびＰ５の電圧は、制御基板２００の入力電圧の仕様を常に上回る必要がある。
【００４９】
抵抗素子Ｒ１１、Ｒ１２、Ｒ１３、Ｒ１４、およびＲ１５の各々の一端は、制御基板２００の入力端子を通じて電線抵抗Ｒ５に接続されている。抵抗素子Ｒ１１、スイッチＳＷ１１、および機能回路ＣＲ１は、この順序で直列に接続されている。抵抗素子Ｒ１１とスイッチＳＷ１１とを接続する導線上に接点Ｐ１が設けられている。抵抗素子Ｒ１２、スイッチＳＷ１２、および機能回路ＣＲ２は、この順序で直列に接続されている。抵抗素子Ｒ１２とスイッチＳＷ１２とを接続する導線上に接点Ｐ２が設けられている。抵抗素子Ｒ１３および省電力回路２５０は、この順序で直列に接続されている。抵抗素子Ｒ１３と省電力回路２５０とを接続する導線上に接点Ｐ３が設けられている。抵抗素子Ｒ１４、スイッチＳＷ１３、および機能回路ＣＲ３は、この順序で直列に接続されている。抵抗素子Ｒ１４とスイッチＳＷ１３とを接続する導線上に接点Ｐ４が設けられている。抵抗素子Ｒ１５、スイッチＳＷ１４、および機能回路ＣＲ４は、この順序で直列に接続されている。抵抗素子Ｒ１５とスイッチＳＷ１４とを接続する導線上に接点Ｐ５が設けられている。接点Ｐ１、Ｐ２、Ｐ３、Ｐ４、およびＰ５の各々の電位は、接続された機能回路の動作に応じて変動する。
【００５０】
省電力回路２５０の演算ＩＣ２５０ａは、セレクターＳＲ１と、ＣＰＵ（Ｃｅｎｔｒａｌ  Ｐｒｏｃｅｓｓｉｎｇ  Ｕｎｉｔ）２５１と、ＲＯＭ（Ｒｅａｄ  Ｏｎｌｙ  Ｍｅｍｏｒｙ）２５３と、メモリ２５５とを含んでいる。セレクターＳＲ１は、接点Ｐ２０、Ｐ２１、Ｐ２２、Ｐ２３、Ｐ２４、およびＰ２５を含んでいる。接点Ｐ２１は接点Ｐ１と接続されており、接点Ｐ２２は接点Ｐ２と接続されており、接点Ｐ２３は接点Ｐ３と接続されており、接点Ｐ２４は接点Ｐ４と接続されており、接点Ｐ２５は接点Ｐ５と接続されている。セレクターＳＲ１は、接点Ｐ２１、Ｐ２２、Ｐ２３、Ｐ２４、およびＰ２５のうちから１つの端子を選択して、接点Ｐ２０と電気的に接続する回路である。
【００５１】
電源信号（リモート信号）ＲＥＭ１、ＲＥＭ２、ＲＥＭ３、およびＲＥＭ４の各々は、機能回路ＣＲ１、ＣＲ２、ＣＲ３、およびＣＲ４の各々へ電力の供給を行うか否かを制御する信号である。ＣＰＵ２５１は、電源信号ＲＥＭ１、ＲＥＭ２、ＲＥＭ３、およびＲＥＭ４の各々を送信することにより、スイッチＳＷ１１、ＳＷ１２、ＳＷ１３、およびＳＷ１４の各々のオンオフを制御する。その結果、機能回路ＣＲ１、ＣＲ２、ＣＲ３、およびＣＲ４の各々の状態は、電源基板１からの電力の供給を受ける状態と電力の供給を受けない状態との間で切り替えられる（以降、この切り替えを電力供給状態の切り替えと呼ぶことがある）。またＣＰＵ２５１は、セレクターＳＲ１を制御する。ＲＯＭ２５３は、ＣＰＵ２５１の制御プログラムを記憶する。メモリ２５５は、機能回路情報テーブルなどの各種データを記憶する。
【００５２】
図３は、機能回路情報テーブルの一例を示す図である。なお、図３中の機能回路１、機能回路２、機能回路３、および機能回路４は、それぞれ図１の機能回路ＣＲ１、機能回路ＣＲ２、機能回路ＣＲ３、および機能回路ＣＲ４に相当する。
【００５３】
図３を参照して、機能回路情報テーブルは、画像形成装置の機能回路および省電力回路の各々における消費電流の情報を記したテーブルである。また、機能回路１はＵＳＢドライバー回路であるものとする。この場合、ＵＳＢデバイス接続時の機能回路１の消費電流は、ＵＳＢデバイス非接続時の機能回路１の消費電流に比べて大きくなる。
【００５４】
機能回路情報テーブルでは、消費電流または動作保証最小電圧の大きさは、大きい方から小さい方に向かって、ＵＳＢデバイス接続時の機能回路１、機能回路３、機能回路４、機能回路２、ＵＳＢデバイス非接続時の機能回路１、および省電力回路という順序になっている。
【００５５】
［画像形成装置の動作］
【００５６】
続いて、画像形成装置の動作について、図２および図４を用いて説明する。
【００５７】
図２を参照して、画像形成装置の電源がオンされると、省電力回路２５０には電源基板１から電力が供給される。画像形成装置は起動し、通常状態となる。画像形成装置の動作状態は、通常状態と、通常状態よりも消費電力の低い省電力状態との間で移行する（さらに、別の状態との間で移行するものであってもよい）。また、画像形成装置が省電力状態にある場合において、ユーザーの動作指示を受け付けた場合は、画像形成装置は通常状態に移行する。画像形成装置の動作状態に関わらず、省電力回路２５０には常に電源基板１から電力が供給される。
【００５８】
画像形成装置が通常状態にある場合には、省電力回路２５０は、電源信号ＲＥＭ１、ＲＥＭ２、ＲＥＭ３、およびＲＥＭ４のうち少なくとも１つをオン信号（電力の供給を行う信号）とすることで、スイッチＳＷ１１、ＳＷ１２、ＳＷ１３、およびＳＷ１４のうち少なくとも１つをオンする。これにより、機能回路ＣＲ１、ＣＲ２、ＣＲ３、およびＣＲ４のうち少なくとも１つに対して、電力が供給される。
【００５９】
また省電力回路２５０は、省電力回路２５０、ならびに機能回路ＣＲ１、ＣＲ２、ＣＲ３、およびＣＲ４のうち電力の供給を受ける機能回路の中で、消費電流が最も大きい回路を特定する。そして省電力回路２５０は、特定した回路の入力側の接点をリモートセンシング位置として設定する。すなわち、省電力回路２５０は、接点Ｐ１、Ｐ２、Ｐ３、Ｐ４、およびＰ５の中の１つの接点をリモートセンシング位置として設定する。リモートセンシング位置として設定された接点は、ＣＰＵ２５１の制御により、接点Ｐ２１、Ｐ２２、Ｐ２３、Ｐ２４、またはＰ２５を通じて、接点Ｐ２０と電気的に接続される。これにより、リモートセンシング位置の電圧が定電圧制御部１０にフィードバックされる。
【００６０】
ここでは、省電力回路２５０が電源信号ＲＥＭ１、ＲＥＭ２、ＲＥＭ３、およびＲＥＭ４を全てオン信号とする場合（ただし、機能回路１はＵＳＢデバイスを非接続）を想定する。この場合、スイッチＳＷ１１、ＳＷ１２、ＳＷ１３、およびＳＷ１４の全てがオンし、機能回路ＣＲ１、ＣＲ２、ＣＲ３、およびＣＲ４の全てが電力の供給を受ける。
【００６１】
省電力回路２５０は、機能回路情報テーブルに基づいて、省電力回路２５０、および電力の供給を受ける機能回路ＣＲ１、ＣＲ２、ＣＲ３、およびＣＲ４の中で、消費電流が最も大きい回路である機能回路ＣＲ３を特定する。そして省電力回路２５０は、セレクターＳＲ１において接点Ｐ２０を接点Ｐ２４と接続することにより、機能回路ＣＲ３の入力側の接点Ｐ４を、リモートセンシング位置として設定する。
【００６２】
リモートセンシング位置の電圧の基準値は、制御基板２００の入力電圧の仕様と同じ値である５．０Ｖに設定される。すなわち、定電圧制御部１０は、機能回路ＣＲ３の入力側の接点Ｐ４の電圧が５．０Ｖとなるように、電源基板１の出力電圧（接点Ｐ１０の電圧）を定電圧制御する。その結果、機能回路ＣＲ１、機能回路ＣＲ２、省電力回路２５０、および機能回路ＣＲ４の各々の入力側の接点Ｐ１、Ｐ２、Ｐ３、およびＰ５の電圧も５．０Ｖ以上に保たれる。これは次の理由による。機能回路ＣＲ１、機能回路ＣＲ２、省電力回路２５０、および機能回路ＣＲ４の各々の消費電流は、機能回路ＣＲ３の消費電流よりも小さいため、電源基板１の出力端子から接点Ｐ１、Ｐ２、Ｐ３、およびＰ５の各々までの電圧降下量は、電源基板１の出力端子から接点Ｐ４までの電圧降下量よりも小さい。その結果、接点Ｐ１、Ｐ２、Ｐ３、およびＰ５の電圧は、接点Ｐ４の電圧よりも常に高くなる。
【００６３】
図４は、本発明の一実施の形態における画像形成装置が省電力状態にある場合の、電源基板および制御基板の回路構成を模式的に示すブロック図である。
【００６４】
図４を参照して、画像形成装置が通常状態にある場合において、ユーザーの動作指示を一定時間受け付けないときは、画像形成装置は省電力状態に移行する。
【００６５】
画像形成装置が省電力状態にある場合には、省電力回路２５０は、電源信号ＲＥＭ１、ＲＥＭ２、ＲＥＭ３、およびＲＥＭ４の全てをオフ信号（電力の供給を行わない信号）とすることで、スイッチＳＷ１１、ＳＷ１２、ＳＷ１３、およびＳＷ１４の全てをオンする。これにより、機能回路ＣＲ１、ＣＲ２、ＣＲ３、およびＣＲ４の全てにおいて、電力の供給が停止され、省電力回路２５０にのみ電力が供給される。
【００６６】
また、画像形成装置が省電力状態にある場合には、機能回路ＣＲ１、ＣＲ２、ＣＲ３、およびＣＲ４の全てにおいて電力の供給が停止されるので、省電力回路２５０は、省電力回路２５０を消費電流が最も大きい回路として特定し、省電力回路２５０の入力側の接点Ｐ３をリモートセンシング位置として設定する。接点Ｐ３は、ＣＰＵ２５１の制御により、接点Ｐ２３を通じて接点Ｐ２０と電気的に接続される。
【００６７】
リモートセンシング位置の電圧の基準値は、制御基板２００の入力電圧の仕様と同じ値である５．０Ｖのままである。画像形成装置が省電力状態にある場合、省電力回路２５０にのみ電力が供給されるため、制御基板２００に流れる消費電流の合計量（電線抵抗Ｒ５に流れる電流）が少なくなり、電源基板１の出力端子から接点Ｐ３までの電圧降下量がほぼゼロになる。その結果、電源基板１の出力電圧（画像形成装置の入力電力）を、５．０Ｖと低くすることができ、画像形成装置が省電力状態にある場合の消費電力量を低減することができる。
【００６８】
なお、機能回路ＣＲ１、ＣＲ２、ＣＲ３、およびＣＲ４のうち少なくともいずれか１つの電力供給状態の切り替えのタイミング（電源信号ＲＥＭ１、ＲＥＭ２、ＲＥＭ３、およびＲＥＭ４のうち少なくともいずれか１つにおけるオン信号とオフ信号との間の切り替えのタイミング）と、リモートセンシング位置の切り替えのタイミング（接点Ｐ２０と接続する接点の切り替えのタイミング）とは、いずれが時間的に先であってもよい。しかし、機能回路ＣＲ１、ＣＲ２、ＣＲ３、およびＣＲ４のうち少なくともいずれか１つの電力供給状態の切り替える際に、電力の供給を受ける状態の機能回路に突入電流が流れ、システムリセットがなされる事態を回避するためには、次の方法を採用することが好ましい。
【００６９】
たとえば、画像形成装置が省電力状態から通常状態に移行する場合のように、機能回路ＣＲ１、ＣＲ２、ＣＲ３、およびＣＲ４全体の消費電流が増加するように、機能回路ＣＲ１、ＣＲ２、ＣＲ３、およびＣＲ４のうち少なくともいずれか１つの電力供給状態を切り替える場合、省電力回路２５０は、機能回路ＣＲ１、ＣＲ２、ＣＲ３、およびＣＲ４のうち少なくともいずれか１つの電力供給状態を切り替える前に、リモートセンシング位置を変更する。また、画像形成装置が通常状態から省電力状態に移行する場合のように、機能回路ＣＲ１、ＣＲ２、ＣＲ３、およびＣＲ４全体の消費電流が減少するように、機能回路ＣＲ１、ＣＲ２、ＣＲ３、およびＣＲ４のうち少なくともいずれか１つの電力供給状態を切り替える場合、省電力回路２５０は、機能回路ＣＲ１、ＣＲ２、ＣＲ３、およびＣＲ４のうち少なくともいずれか１つの電力供給状態を切り替えた後で、リモートセンシング位置を変更する。
【００７０】
図５および図６は、本発明の一実施の形態における画像形成装置の動作を示すフローチャートである。
【００７１】
図５を参照して、画像形成装置の電源がオンされ、省電力回路２５０に電力が供給される（省電力回路がオンする）と（Ｓ１）、省電力回路２５０のＣＰＵ２５１は、機能回路ＣＲ１、ＣＲ２、ＣＲ３、およびＣＲ４の各々の電源信号を決定する（Ｓ３）。次にＣＰＵ２５１は、機能回路ＣＲ１、ＣＲ２、ＣＲ３、およびＣＲ４の各々の決定した電源信号、および機能回路ＣＲ１、ＣＲ２、ＣＲ３、およびＣＲ４の各々の消費電流の大小関係の情報に基づいて、リモートセンシング位置を設定し、定電圧制御を行う（Ｓ５）。具体的には、ＣＰＵ２５１は、省電力回路２５０、および電流の供給を受ける機能回路の中で、消費電流が最も大きいものの入力側の接点をリモートセンシング位置として設定する。リモートセンシング位置の設定後、ＣＰＵ２５１は、機能回路ＣＲ１、ＣＲ２、ＣＲ３、およびＣＲ４の各々の決定した電源信号を送信することにより、画像形成装置を起動し（Ｓ７）、ユーザーの動作指示を待機する（Ｓ９）。次にＣＰＵ２５１は、ＵＳＢデバイスなどのデバイスの装着がセンサーなどで検出されたか否かを判別する（Ｓ１１）。
【００７２】
ステップＳ１１において、デバイスの装着がセンサーなどで検出されたと判別した場合（Ｓ１１でＹＥＳ）、ＣＰＵ２５１は、省電力回路２５０のＣＰＵ２５１は、機能回路ＣＲ１、ＣＲ２、ＣＲ３、およびＣＲ４の各々の電源信号を決定する（Ｓ１３）。次にＣＰＵ２５１は、機能回路ＣＲ１、ＣＲ２、ＣＲ３、およびＣＲ４の各々の決定した電源信号、および機能回路ＣＲ１、ＣＲ２、ＣＲ３、およびＣＲ４の各々の消費電流の大小関係の情報に基づいて、リモートセンシング位置を設定し、定電圧制御を行う（Ｓ１５）。これにより、デバイスの動作電圧が保障される。具体的には、ＣＰＵ２５１は、デバイスのインターフェース回路の入力側の接点（入力端）を、リモートセンシング位置として設定する。これにより、デバイスの動作電圧が保障される。ＣＰＵ２５１は、デバイスを動作させ（Ｓ１７）、その後ユーザーの動作指示を待機し（Ｓ１９）、ステップＳ２１の処理へ進む。
【００７３】
ステップＳ１１において、デバイスの装着がセンサーなどで検出されないと判別した場合（Ｓ１１でＮＯ）、ＣＰＵ２５１はステップＳ２１の処理へ進む。
【００７４】
ステップＳ２１において、ＣＰＵ２５１は、ユーザーのプリント指示を受け付けたか否かを判別する（Ｓ２１）。
【００７５】
ステップＳ２１において、プリント指示を受け付けたと判別した場合（Ｓ２１でＹＥＳ）、ＣＰＵ２５１は、機能回路ＣＲ１、ＣＲ２、ＣＲ３、およびＣＲ４の各々の電源信号を決定する（Ｓ２３）。次にＣＰＵ２５１は、機能回路ＣＲ１、ＣＲ２、ＣＲ３、およびＣＲ４の各々の決定した電源信号、および機能回路ＣＲ１、ＣＲ２、ＣＲ３、およびＣＲ４の各々の消費電流の大小関係の情報に基づいて、リモートセンシング位置を設定し、定電圧制御を行う（Ｓ２５）。具体的には、ＣＰＵ２５１は、省電力回路２５０、および電流の供給を受ける機能回路の中で、消費電流が最も大きいものの入力側の接点をリモートセンシング位置として設定する。リモートセンシング位置の設定後、ＣＰＵ２５１は、プリント動作を行い（Ｓ２７）、次にユーザーの動作指示を待機し（Ｓ２９）、図６のステップＳ３１の処理へ進む。
【００７６】
ステップＳ２１において、プリント指示を受け付けないと判別した場合（Ｓ２１でＮＯ）、ＣＰＵ２５１は図６のステップＳ３１の処理へ進む。
【００７７】
図６を参照して、ステップＳ３１において、ＣＰＵ２５１は、画像形成装置が省電力状態に移行する指示（省エネ指示）を受信したか否かを判別する（Ｓ３１）。ステップＳ３１において、画像形成装置が省電力状態に移行する指示を受信したと判別した場合（Ｓ３１でＹＥＳ）、ＣＰＵ２５１は、機能回路ＣＲ１、ＣＲ２、ＣＲ３、およびＣＲ４の全ての電源信号をオフ信号とすることを決定し、省電力回路２５０以外の回路をオフする（Ｓ３３）。次にＣＰＵ２５１は、省電力状態への移行が完了すると（Ｓ３５）、機能回路ＣＲ１、ＣＲ２、ＣＲ３、およびＣＲ４の各々の決定した電源信号、および機能回路ＣＲ１、ＣＲ２、ＣＲ３、およびＣＲ４の各々の消費電流の大小関係の情報に基づいて、リモートセンシング位置を設定し、定電圧制御を行う（Ｓ３７）。具体的には、ＣＰＵ２５１は、省電力回路２５０の入力側の接点をリモートセンシング位置として設定する。このように、ＣＰＵ２５１は、省電力回路２５０以外の回路をオフした後でリモートセンシング位置を変更する。リモートセンシング位置の設定後、ＣＰＵ２５１はステップＳ３９の処理へ進む。
【００７８】
ステップＳ３１において、画像形成装置が省電力状態に移行する指示を受信しないと判別した場合（Ｓ３１でＮＯ）、ＣＰＵ２５０はステップＳ３９の処理へ進む。
【００７９】
ステップＳ３９において、ＣＰＵ２５１は、ユーザーのプリント指示を受け付けたか否かを判別する（Ｓ３９）。
【００８０】
ステップＳ３９において、プリント指示を受け付けたと判別した場合（Ｓ３９でＹＥＳ）、ＣＰＵ２５１は、機能回路ＣＲ１、ＣＲ２、ＣＲ３、およびＣＲ４の各々の電源信号を決定する（Ｓ４１）。次にＣＰＵ２５１は、機能回路ＣＲ１、ＣＲ２、ＣＲ３、およびＣＲ４の各々の決定した電源信号、および機能回路ＣＲ１、ＣＲ２、ＣＲ３、およびＣＲ４の各々の消費電流の大小関係の情報に基づいて、リモートセンシング位置を設定し、定電圧制御を行う（Ｓ４３）。具体的には、ＣＰＵ２５１は、省電力回路２５０、および電流の供給を受ける機能回路の中で、消費電流が最も大きいものの入力側の接点をリモートセンシング位置として設定する。リモートセンシング位置の設定後、ＣＰＵ２５１は、通常状態に移行し、プリント動作を行う（Ｓ４５）。続いてＣＰＵ２５１は、画像形成装置の電源がオフされたか否かを判別する（Ｓ４７）。
【００８１】
ステップＳ４７において、画像形成装置の電源がオフされたと判別した場合（Ｓ４７でＹＥＳ）、ＣＰＵ２５１は、画像形成装置の電源をオフし（Ｓ４９）、処理を終了する。
【００８２】
ステップＳ４７において、画像形成装置の電源がオフされないと判別した場合（Ｓ４７でＮＯ）、ＣＰＵ２５１は図５のステップＳ１１の処理へ進む。
【００８３】
［変形例］
【００８４】
上述の実施の形態においては、画像形成装置が通常状態および省電力状態のいずれも場合にも、省電力回路２５０がリモートセンシング位置を設定する例について示した。本発明の居ては、画像形成装置が省電力状態である場合には、省電力回路２５０がリモートセンシング位置を設定し、画像形成装置が通常状態である場合には、任意の機能回路がリモートセンシング位置を設定してもよい。
【００８５】
図７は、本発明の変形例における画像形成装置が通常状態にある場合の、電源基板および制御基板の回路構成を模式的に示すブロック図である。
【００８６】
図７を参照して、ここでは、画像形成装置が通常状態である場合には、画像形成回路である機能回路ＣＲ３（動作時回路の一例）がリモートセンシング位置を設定する例について説明する。機能回路ＣＲ３は画像形成回路２０３であるものとする。
【００８７】
セレクターＳＲ１は、省電力回路２５０の演算ＩＣ２５０ａとは別構成となっている。画像形成回路２０３は、画処理ＩＣ２０３ａと、演算ＩＣ２０３ｂとを含んでいる。演算ＩＣ２０３ｂは、ＣＰＵ２３１と、ＲＯＭ２３３と、メモリ２３５とを含んでいる。ＲＯＭ２３３は、ＣＰＵ２３１の制御プログラムを記憶する。メモリ２３５は、機能回路情報テーブルなどの各種データを記憶する。
【００８８】
ＣＰＵ２３１は、画像形成装置が通常状態（プリント状態や待機状態など）にある場合に、電源信号ＲＥＭ１、ＲＥＭ２、ＲＥＭ３、およびＲＥＭ４の各々を送信することにより、スイッチＳＷ１１、ＳＷ１２、ＳＷ１３、およびＳＷ１４の各々のオンオフを制御する。またＣＰＵ２３１は、画像形成装置が通常状態にある場合に、リモートセンシング位置を設定し、セレクターＳＲ１を制御する。
【００８９】
ＣＰＵ２５１は、画像形成装置が省電力状態にある場合に、電源信号ＲＥＭ１、ＲＥＭ２、ＲＥＭ３、およびＲＥＭ４の各々を送信することにより、スイッチＳＷ１１、ＳＷ１２、ＳＷ１３、およびＳＷ１４の各々のオンオフを制御する。またＣＰＵ２５１は、画像形成装置が省電力状態にある場合に、省電力回路２５０の入力側の接点Ｐ３をリモートセンシング位置として設定し、セレクターＳＲ１を制御する。
【００９０】
［実施の形態の効果］
【００９１】
上述の実施の形態においては、電源基板のリモートセンシング電位が、消費電流の大きい省電力回路または機能回路の入力側の接点に設定される。これにより、定電圧制御の際の基準値を設定する際に、電線抵抗（ワイヤーハーネス）および制御基板のパターン抵抗での電圧降下を考慮しなくても、画像形成装置が大電流で動作する場合に、省電力回路および機能回路の各々の入力側の端部の電圧が、制御基板の入力電圧の仕様を満足するようになる。また、画像形成装置が小電流で動作する場合には、電源基板のリモートセンシン電位が、省電力回路の入力側の接点に設定される。これにより、画像形成装置の入力電力を低くすることができ、画像形成装置が省電力状態にある場合の消費電力量を低減することができる。
【００９２】
［その他］
【００９３】
上述の実施の形態における定電圧制御部、機能回路、または省電力回路などの構成は一例であり、これらの構成は任意である。
【００９４】
機能回路情報テーブルは、画像形成装置の省電力回路および機能回路の各々における動作保証最小電圧の大小関係の情報を記したテーブルであってもよい。動作保証最小電圧とは、省電力回路または機能回路の安定的な動作が保証された電圧の範囲中の最小の電圧値である。この場合、省電力回路は、機能回路情報テーブルに基づいて、省電力回路、および電力の供給を受ける機能回路の中で、動作保証最小電圧が最も大きい回路を特定し、特定した回路の入力側の接点をリモートセンシング位置として設定する。
【００９５】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【００９６】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１，１００１  電源基板
１０，１０１０  定電圧制御部
１００  低圧電源
１０１  ノイズフィルター（ＮＦ）
１０３  整流器
１０５，１０７  定電圧制御回路
１０９  定着回路
１１１  ヒーター
２００，１２００  制御基板
２０１  ドライバー回路
２０３  画像形成回路
２０３ａ  画処理ＩＣ（Ｉｎｔｅｇｒａｔｅｄ  Ｃｉｒｃｕｉｔ）
２０３ｂ，２５０ａ  演算ＩＣ
２５０ｂ  ＣＰＬＤ（Ｃｏｍｐｌｅｘ  Ｐｒｏｇｒａｍｍａｂｌｅ  Ｌｏｇｉｃ  Ｄｅｖｉｃｅ）
２０５  ＨＤＤ（Ｈａｒｄ  Ｄｉｓｋ  Ｄｒｉｖｅ）ドライバー回路
２０７  ＵＳＢ（Ｕｎｉｖｅｒｓａｌ  Ｓｅｒｉａｌ  Ｂｕｓ）ドライバー回路
２０９  ファクシミリ回路
２１１  光源
２１３  ファン
２１５  ＨＶ
２１７  モーター
２１９，２２１  センサー
２２３  ＨＤＤ
２２５  ＵＳＢ
２３１，２５１  ＣＰＵ（Ｃｅｎｔｒａｌ  Ｐｒｏｃｅｓｓｉｎｇ  Ｕｎｉｔ）
２３３，２５３  ＲＯＭ（Ｒｅａｄ  Ｏｎｌｙ  Ｍｅｍｏｒｙ）
２３５，２５５  メモリ
２５０  省電力回路
ＣＲ１，ＣＲ２，ＣＲ３，ＣＲ４，ＣＲ１０１，ＣＲ１０２，ＣＲ１０３，ＣＲ１０４，ＣＲ１０５  機能回路
Ｄ１，Ｄ２  ダイオード
Ｐ１，Ｐ２，Ｐ３，Ｐ４，Ｐ５，Ｐ１０，Ｐ２０，Ｐ２１，Ｐ２２，Ｐ２３，Ｐ２４，Ｐ２５，Ｐ１０１，Ｐ１０２，Ｐ１０３，Ｐ１０４，Ｐ１０５，Ｐ１０６，Ｐ１１０  接点
Ｒ１，Ｒ２，Ｒ３，Ｒ４，Ｒ１１，Ｒ１２，Ｒ１３，Ｒ１４，Ｒ１５，Ｒ１１１，Ｒ１１２，Ｒ１１３，Ｒ１１４，Ｒ１１５  抵抗素子
Ｒ５，Ｒ１０５  電線抵抗
ＲＥＭ１、ＲＥＭ２，ＲＥＭ３，ＲＥＭ４，ＲＥＭ１０１，ＲＥＭ１０２，ＲＥＭ１０３，ＲＥＭ１０４  電源信号
ＳＭ１，ＳＭ１０１  二次側整流平滑回路
ＳＲ１  セレクター
ＳＷ１，ＳＷ１１，ＳＷ１２，ＳＷ１３，ＳＷ１４，ＳＷ１１１，ＳＷ１１２，ＳＷ１１３，ＳＷ１１４  スイッチ
Ｔ１，Ｔ１０１  トランス
ＴＲ１，ＴＲ２，ＴＲ１０１  トランジスタ
【図１】
0005975049.tif 000002
【図２】
0005975049.tif 000003
【図３】
0005975049.tif 000004
【図４】
0005975049.tif 000005
【図５】
0005975049.tif 000006
【図６】
0005975049.tif 000007
【図７】
0005975049.tif 000008
【図８】
0005975049.tif 000009
【図９】
0005975049.tif 000010